(57)【特許請求の範囲】
【請求項１】
コンテンツ制作者によって企画されたコンテンツの企画内容を示す企画情報を受け付ける企画受付手段と、
前記コンテンツがユーザに閲覧される回数の予測値である予測閲覧数を算出する算出手段と、
前記算出手段によって算出された予測閲覧数と、前記企画受付手段によって受け付けられた企画情報とを提示するとともに、前記コンテンツに広告を表示する権利を落札対象とするオークションサービスを提供する提供手段と、を備え、
前記算出手段は、前記提供手段によって前記オークションサービスが提供されている最中に、過去に制作されたコンテンツである制作済みコンテンツのうち、前記オークションサービスにおける入札数又は最高入札価格を含むオークション情報に対応する制作済みコンテンツの閲覧数に基づいて、前記予測閲覧数を算出する、
ことを特徴とするサービス提供装置。
【請求項２】
コンテンツ制作者によって企画されたコンテンツの企画内容を示す企画情報を受け付ける企画受付手段と、
前記コンテンツがユーザに閲覧される回数の予測値である予測閲覧数を算出する算出手段と、
前記算出手段によって算出された予測閲覧数と、前記企画受付手段によって受け付けられた企画情報とを提示するとともに、前記コンテンツに広告を表示する権利を落札対象とするオークションサービスを提供する提供手段と、を備え、
前記算出手段は、
過去に制作されたコンテンツである制作済みコンテンツに対して過去に算出した予測閲覧数と、前記制作済みコンテンツの実際の閲覧数とに基づいて、前記企画情報に対応するコンテンツに対して算出した予測閲覧数の予測確度を算出し、
前記提供手段は、
前記算出手段によって算出された前記予測閲覧数及び前記予測確度を提示するとともに、前記オークションサービスを提供する、
ことを特徴とするサービス提供装置。
【請求項３】
前記提供手段は、
前記算出手段によって算出された前記予測確度が所定の確度閾値以上である場合に、前記算出手段によって算出された前記予測閲覧数に基づいて、前記企画情報に対応する前記コンテンツにおける所定の閲覧数を保証する前記オークションサービスを提供する、
ことを特徴とする請求項２に記載のサービス提供装置。
【請求項４】
コンピュータが実行するサービス提供方法であって、
コンテンツ制作者によって企画されたコンテンツの企画内容を示す企画情報を受け付ける企画受付工程と、
前記コンテンツがユーザに閲覧される回数の予測値である予測閲覧数を算出する算出工程と、
前記算出工程によって算出された予測閲覧数と、前記企画受付工程によって受け付けられた企画情報とを提示するとともに、前記コンテンツに広告を表示する権利を落札対象とするオークションサービスを提供する提供工程と、を含み、
前記算出工程は、前記提供工程によって前記オークションサービスが提供されている最中に、過去に制作されたコンテンツである制作済みコンテンツのうち、前記オークションサービスにおける入札数又は最高入札価格を含むオークション情報に対応する制作済みコンテンツの閲覧数に基づいて、前記予測閲覧数を算出する、
ことを特徴とするサービス提供方法。
【請求項５】
コンテンツ制作者によって企画されたコンテンツの企画内容を示す企画情報を受け付ける企画受付手順と、
前記コンテンツがユーザに閲覧される回数の予測値である予測閲覧数を算出する算出手順と、
前記算出手順によって算出された予測閲覧数と、前記企画受付手順によって受け付けられた企画情報とを提示するとともに、前記コンテンツに広告を表示する権利を落札対象とするオークションサービスを提供する提供手順と、をコンピュータに実行させ、
前記算出手順は、前記提供手順によって前記オークションサービスが提供されている最中に、過去に制作されたコンテンツである制作済みコンテンツのうち、前記オークションサービスにおける入札数又は最高入札価格を含むオークション情報に対応する制作済みコンテンツの閲覧数に基づいて、前記予測閲覧数を算出する、
ことを特徴とするサービス提供プログラム。
【請求項６】
コンピュータが実行するサービス提供方法であって、
コンテンツ制作者によって企画されたコンテンツの企画内容を示す企画情報を受け付ける企画受付工程と、
前記コンテンツがユーザに閲覧される回数の予測値である予測閲覧数を算出する算出工程と、
前記算出工程によって算出された予測閲覧数と、前記企画受付工程によって受け付けられた企画情報とを提示するとともに、前記コンテンツに広告を表示する権利を落札対象とするオークションサービスを提供する提供工程と、を含み、
前記算出工程は、
過去に制作されたコンテンツである制作済みコンテンツに対して過去に算出した予測閲覧数と、前記制作済みコンテンツの実際の閲覧数とに基づいて、前記企画情報に対応するコンテンツに対して算出した予測閲覧数の予測確度を算出し、
前記提供工程は、
前記算出工程によって算出された前記予測閲覧数及び前記予測確度を提示するとともに、前記オークションサービスを提供する、
ことを特徴とするサービス提供方法。
【請求項７】
コンテンツ制作者によって企画されたコンテンツの企画内容を示す企画情報を受け付ける企画受付手順と、
前記コンテンツがユーザに閲覧される回数の予測値である予測閲覧数を算出する算出手順と、
前記算出手順によって算出された予測閲覧数と、前記企画受付手順によって受け付けられた企画情報とを提示するとともに、前記コンテンツに広告を表示する権利を落札対象とするオークションサービスを提供する提供手順と、をコンピュータに実行させ、
前記算出手順は、
過去に制作されたコンテンツである制作済みコンテンツに対して過去に算出した予測閲覧数と、前記制作済みコンテンツの実際の閲覧数とに基づいて、前記企画情報に対応するコンテンツに対して算出した予測閲覧数の予測確度を算出し、
前記提供手順は、
前記算出手順によって算出された前記予測閲覧数及び前記予測確度を提示するとともに、前記オークションサービスを提供する、
ことを特徴とするサービス提供プログラム。
【発明の詳細な説明】
【技術分野】
【０００１】
本発明は、サービス提供装置、サービス提供方法及びサービス提供プログラムに関する。
【背景技術】
【０００２】
インターネットを介して、ユーザの端末装置に各種コンテンツを配信する配信サービスが知られている。配信サービスの一例として、動画コンテンツと、その動画コンテンツの表示領域に表示される広告コンテンツとを配信する動画配信サービスが知られている。
【０００３】
このような動画配信サービスに関して、番組オークションと呼ばれる技術が提案されている。具体的には、番組オークションでは、スポンサーが任意の出資金額を入札し、他のスポンサーとの競争に勝ち残ったスポンサーだけが番組時間帯のＣＭ枠の放送権利を得る。この番組オークションは、事前に資金の確保を確約する場合に利用される。
【先行技術文献】
【特許文献】
【０００４】
【特許文献１】特開２００３−０８７８２５号公報
【特許文献２】特表２００７−５０５３９３号公報
【発明の概要】
【発明が解決しようとする課題】
【０００５】
しかしながら、上記の従来技術では、広告主に対して付加価値のあるサービスを提供できるとは限らない。具体的には、上記の従来技術では、単にＣＭ枠の放送権利をオークションによって競争させることに留まり、オークションに参加する広告主に対して、付加価値のあるサービスを提供することは困難である。
【０００６】
本願は、上記に鑑みてなされたものであって、広告主に対して付加価値のあるサービスを提供することができるサービス提供装置、サービス提供方法及びサービス提供プログラムを提供することを目的とする。
【課題を解決するための手段】
【０００７】
本願に係るサービス提供装置は、コンテンツ制作者によって企画されたコンテンツの企画内容を示す企画情報を受け付ける企画受付手段と、前記コンテンツがユーザに閲覧される回数の予測値である予測閲覧数を算出する算出手段と、前記算出手段によって算出された予測閲覧数と、前記企画受付手段によって受け付けられた企画情報とを提示するとともに、前記コンテンツに広告を表示する権利を落札対象とするオークションサービスを提供する提供手段と、を備えたことを特徴とする。
【発明の効果】
【０００８】
実施形態の一態様によれば、広告主に対して付加価値のあるサービスを提供することができるという効果を奏する。
【図面の簡単な説明】
【０００９】
【図１】図１は、実施形態に係るサービス提供処理の一例を示す図である。
【図２】図２は、実施形態に係るサービス提供システムの構成例を示す図である。
【図３】図３は、実施形態に係るサービス提供装置の構成例を示す図である。
【図４】図４は、実施形態に係るオークション記憶部の一例を示す図である。
【図５】図５は、実施形態に係る履歴情報記憶部の一例を示す図である。
【図６】図６は、実施形態に係る一覧ページの一例を示す図である。
【図７】図７は、実施形態に係るオークションページの一例を示す図である。
【図８】図８は、実施形態に係るサービス提供システムによるサービス提供処理手順を示すシーケンス図である。
【図９】図９は、変形例に係るサービス提供処理の一例を示す図である。
【図１０】図１０は、変形例に係るオークション記憶部の一例を示す図である。
【図１１】図１１は、変形例に係るオークションページの一例を示す図である。
【図１２】図１２は、変形例に係る課金処理の一例を示す図である。
【図１３】図１３は、変形例に係るオークションページの一例を示す図である。
【図１４】図１４は、変形例に係るコンテンツの一例を示す図である。
【図１５】図１５は、サービス提供装置の機能を実現するコンピュータの一例を示すハードウェア構成図である。
【発明を実施するための形態】
【００１０】
以下に、本願に係るサービス提供装置、サービス提供方法及びサービス提供プログラムを実施するための形態（以下、「実施形態」と呼ぶ）について図面を参照しつつ詳細に説明する。なお、この実施形態により本願に係るサービス提供装置、サービス提供方法及びサービス提供プログラムが限定されるものではない。また、以下の各実施形態において同一の部位には同一の符号を付し、重複する説明は省略される。
【００１１】
〔１．サービス提供処理〕
まず、図１を用いて、実施形態に係るサービス提供処理の一例について説明する。図１は、実施形態に係るサービス提供処理の一例を示す図である。図１に示したサービス提供装置１００は、コンテンツ制作者からコンテンツの企画情報を受け付けた場合に、コンテンツが配信される回数を予測する。そして、サービス提供装置１００は、予測した配信回数を提示した上で、そのコンテンツに広告を表示する権利を落札対象とするオークションサービスを提供する。以下では、コンテンツとして、動画を例に挙げて説明する。
【００１２】
図１に示すように、サービス提供装置１００は、動画を制作する予定であるコンテンツ制作者ＣＰ１１から、動画の企画内容を示す企画情報と、コンテンツ制作者ＣＰ１１によって動画に設定される広告枠に関する広告枠情報とを受け付ける（ステップＳ１１）。なお、サービス提供装置１００は、企画情報と広告枠情報とを同時に受け付けてもよいし、異なるタイミングで受け付けてもよい。
【００１３】
図１の例の場合、コンテンツ制作者ＣＰ１１によって送信される企画情報には、コンテンツの種類が動画であること、動画の監督が「Ｘ１」であること、動画の出演者が「Ｙ１」、「Ｙ２」及び「Ｙ３」であること、動画の概要が「爽やかな恋愛ドラマ・・・」であることを示す情報が含まれる。また、コンテンツ制作者ＣＰ１１によって送信される広告枠情報には、動画の冒頭に設定される３本の広告枠と、動画に含まれる各種シーンのうちスマートフォンが使用されるシーンに設定される広告枠と、カフェのシーンに設定される広告枠とに関する情報が含まれる。ここで、スマートフォンが使用されるシーンに設定される広告枠や、カフェのシーンに設定される広告枠は、広告主が宣伝したい商品を映像に登場（出演）させる出演枠を示す。例えば、スマートフォンが使用されるシーンに設定される広告枠を落札した広告主は、動画に出演する出演者に宣伝対象のスマートフォンを利用させることができる。このような特定シーンや出演者と関連付けて動画の本編に広告を表示する手法は、プロダクトプレイスメント（Product  Placement）等と呼ばれる。
【００１４】
続いて、サービス提供装置１００は、コンテンツ制作者ＣＰ１１から企画情報を受け付けた後に、企画中のコンテンツである動画の配信回数を予測する（ステップＳ１２）。配信回数の予測処理については後述するが、サービス提供装置１００は、例えば企画情報や過去に制作された動画の配信履歴などに基づいて、配信回数を予測する。なお、配信回数とは、言い換えれば、ユーザに動画が閲覧される回数を示す。以下では、配信回数を、ユーザにコンテンツが閲覧される回数を示す「ＰＶ（page  view）数」と表記する場合がある。また、以下では、ＰＶ数の予測値を「予測ＰＶ数」と表記する場合がある。
【００１５】
そして、サービス提供装置１００は、予測ＰＶ数を広告主に提示するとともに、動画に設定される広告枠に広告を表示する権利を落札対象とするオークションサービスを提供する。すなわち、サービス提供装置１００は、コンテンツ制作者ＣＰ１１が動画の制作を企画している段階で、企画中のコンテンツにおける予測ＰＶ数を提示するとともに、動画に広告を組み込む権利を落札対象とするオークションを開催する。
【００１６】
図１の例の場合、サービス提供装置１００は、コンテンツ制作者ＣＰ１１によって企画されているコンテンツの予測ＰＶ数として「１２万」を広告主に提示する。また、サービス提供装置１００は、企画情報に基づいて、コンテンツの種類、監督、出演者、概要を公開するとともに、広告枠情報に基づいて、各広告枠に関するオークションサービスを個別に提供する。具体的には、サービス提供装置１００は、動画の冒頭に表示される広告枠Ａ、Ｂ及びＣと、動画の本編内に表示される広告枠Ｄ及びＥについて、それぞれ個別にオークションを開催する。
【００１７】
続いて、サービス提供装置１００は、それぞれのオークションにおいて広告主から入札を受け付ける（ステップＳ１３）。その後、サービス提供装置１００は、オークション開催期間内に最高価格を入札した広告主を落札者に決定し、落札者から落札金の入金を受け付ける（ステップＳ１４）。そして、サービス提供装置１００は、落札者から入金された落札金をコンテンツ制作者ＣＰ１１に入金する（ステップＳ１５）。この後の処理については後に詳述するが、サービス提供装置１００は、各広告枠に関するオークションの全てが成立した後、コンテンツ制作者ＣＰ１１によって制作された動画に、落札者から受け付けた広告データを組み込むことで配信対象の動画を生成する。なお、一般的なウェブページには、ウェブページへのアクセス毎に異なる広告主の広告が表示されるが、実施形態に係る動画等のコンテンツに設定される各広告枠には、落札者に対応する広告データのみが組み込まれる。すなわち、落札者となった広告主は、広告が表示される広告枠を独占することとなる。
【００１８】
このように、実施形態に係るサービス提供装置１００は、コンテンツ制作者が動画の制作を企画している段階で、かかる動画の予測ＰＶ数を提示するとともにオークションを開催する。これにより、サービス提供装置１００は、入札者である広告主に対して、広告がユーザに閲覧される可能性のある回数を把握させることができる。具体的には、サービス提供装置１００によって提供されるオークションサービスは、企画段階の動画に広告を表示する権利が落札対象である。このため、入札者である広告主は、入札時に動画の完成品を確認することができないので、動画の完成品が配信される回数を予測することが困難である。しかし、実施形態に係るサービス提供装置１００は、予測ＰＶ数を提示するとともにオークションサービスを提供するので、動画の企画段階でオークションを開催する場合であっても、広告主に対して入札時に参考となる情報を提供することができる。このようなことから、サービス提供装置１００は、付加価値のあるサービスを広告主に提供することができる。
【００１９】
〔２．サービス提供システムの構成〕
次に、図２を用いて、実施形態に係るサービス提供システムの構成について説明する。図２は、実施形態に係るサービス提供システムの構成例を示す図である。図２に示すように、サービス提供システム１には、制作者端末１０と、広告主端末２０１〜２０ｎと、配信サーバ３０と、ユーザ端末４０１〜４０ｍと、サービス提供装置１００とが含まれる。制作者端末１０、広告主端末２０１〜２０ｎ、配信サーバ３０、ユーザ端末４０１〜４０ｍ、及び、サービス提供装置１００は、通信網５０を介して、有線又は無線により通信可能に接続される。なお、図２に示したサービス提供システム１には、複数台の制作者端末１０や、複数台の配信サーバ３０や、複数台のサービス提供装置１００が含まれてもよい。
【００２０】
制作者端末１０は、コンテンツ制作者によって利用される情報処理装置である。例えば、制作者端末１０は、コンテンツ制作者による操作に従って、企画情報や、広告枠情報や、コンテンツ制作者によって制作された動画等のコンテンツをサービス提供装置１００に送信する。なお、以下では、制作者端末１０をコンテンツ制作者と表記する場合がある。すなわち、以下では、コンテンツ制作者を制作者端末１０と読み替えることもできる。
【００２１】
なお、コンテンツ制作者は、企画情報の入稿作業等を代理店に依頼する場合もある。この場合、サービス提供装置１００によって提供されるオークションサービスを利用するのは代理店となる。以下では、「コンテンツ制作者」といった表記は、コンテンツ制作者だけでなく代理店を含む概念であり、「制作者端末」といった表記は、制作者端末だけでなく代理店によって利用される代理店端末を含む概念であるものとする。
【００２２】
広告主端末２０１〜２０ｎは、広告主によって利用される情報処理装置である。例えば、広告主端末２０１〜２０ｎは、広告主による操作に従って、サービス提供装置１００からオークションサービスに関するウェブページ（以下、「オークションページ」と表記する場合がある）を取得したり、サービス提供装置１００に入札情報や広告データを送信したりする。以下では、広告主端末２０１〜２０ｎを区別する必要がない場合には、これらを総称して「広告主端末２０」と表記する場合がある。また、以下では、広告主端末２０を広告主や入札者や落札者と表記する場合がある。すなわち、以下では、広告主や入札者や落札者を広告主端末２０と読み替えることもできる。
【００２３】
なお、広告主は、入札作業等を代理店に依頼する場合もある。この場合、サービス提供装置１００によって提供されるオークションサービスを利用するのは代理店となる。以下では、「広告主」といった表記は、広告主だけでなく代理店を含む概念であり、「広告主端末」といった表記は、広告主端末だけでなく代理店によって利用される代理店端末を含む概念であるものとする。
【００２４】
配信サーバ３０は、例えば、ウェブサーバ等である。配信サーバ３０は、サービス提供装置１００から配信対象のコンテンツを受信する。また、配信サーバ３０は、ユーザ端末４０１〜４０ｍからの要求に応じて、サービス提供装置１００から受信したコンテンツを配信する。
【００２５】
ユーザ端末４０１〜４０ｍは、コンテンツを閲覧するユーザによって利用される情報処理装置である。例えば、ユーザ端末４０１〜４０ｍは、ユーザによる操作に従って、配信サーバ３０から動画等のコンテンツを取得し、取得したコンテンツを表示装置（例えば、液晶ディスプレイ）に表示する。以下では、ユーザ端末４０１〜４０ｍを区別する必要がない場合には、これらを総称して「ユーザ端末４０」と表記する場合がある。また、以下では、ユーザ端末４０をユーザや視聴者と表記する場合がある。すなわち、以下では、ユーザや視聴者をユーザ端末４０と読み替えることもできる。
【００２６】
サービス提供装置１００は、例えば、ウェブサーバ等である。図１を用いて説明したように、サービス提供装置１００は、企画段階のコンテンツに組み込まれる広告枠に関するオークションサービスを提供する。
【００２７】
なお、上述した制作者端末１０や広告主端末２０やユーザ端末４０は、例えば、デスクトップ型ＰＣ（Personal  Computer）や、ノート型ＰＣや、タブレット型端末や、携帯電話機、ＰＤＡ（Personal  Digital  Assistant）等により実現される。
【００２８】
〔３．サービス提供装置の構成〕
次に、図３を用いて、実施形態に係るサービス提供装置１００の構成について説明する。図３は、実施形態に係るサービス提供装置１００の構成例を示す図である。図３に示すように、サービス提供装置１００は、通信部１１０と、オークション記憶部１２１と、履歴情報記憶部１２２と、制御部１３０とを有する。なお、サービス提供装置１００は、サービス提供装置１００の管理者等から各種操作を受け付ける入力部（例えば、キーボードやマウス等）や、各種情報を表示するための表示部（例えば、液晶ディスプレイ等）を有してもよい。
【００２９】
通信部１１０は、例えば、ＮＩＣ（Network  Interface  Card）によって実現される。かかる通信部１１０は、通信網５０と有線又は無線で接続される。そして、通信部１１０は、通信網５０を介して、制作者端末１０や広告主端末２０や配信サーバ３０との間で情報の送受信を行う。
【００３０】
オークション記憶部１２１及び履歴情報記憶部１２２は、例えば、ＲＡＭ（Random  Access  Memory)、フラッシュメモリ（Flash  Memory）等の半導体メモリ素子、または、ハードディスク、光ディスク等の記憶装置によって実現される。
【００３１】
オークション記憶部１２１は、オークションに関する各種情報を記憶する。図４に、実施形態に係るオークション記憶部１２１の一例を示す。図４に示すように、オークション記憶部１２１は、「企画ＩＤ」、「制作者ＩＤ」、「企画内容」、「予測ＰＶ数」、「オークションＩＤ」、「広告枠情報」、「オークション期間」、「現在価格」、「入札者ＩＤ」、「終了日時」といった項目を有する。
【００３２】
「企画ＩＤ」は、コンテンツ制作者によって制作することが企画されているコンテンツを識別するための識別情報を示す。「制作者ＩＤ」は、コンテンツ制作者を識別するための識別情報を示す。「企画内容」は、コンテンツの企画内容を示す。「予測ＰＶ数」は、コンテンツ制作者によって制作することが企画されているコンテンツの完成品がユーザに閲覧される回数の予測値を示す。かかる「予測ＰＶ数」は、後述する算出部１４１によって算出される。「オークションＩＤ」は、各広告枠に関するオークションを識別するための識別情報を示す。言い換えれば、「オークションＩＤ」は、広告枠を識別するための識別情報を示す。「広告枠情報」は、コンテンツに組み込まれる広告枠に関する情報を示す。「オークション期間」は、オークションが開催される期間を示す。「現在価格」は、現時点でオークションに入札されている入札価格の最高額を示す。「入札者ＩＤ」は、現時点で最高額の入札価格を入札している入札者である広告主を識別するための広告主ＩＤを示す。「終了日時」は、オークションが終了した日時を示す。
【００３３】
なお、図４では、「終了日時」に日時が格納されていないオークションが開催中又は未開催であり、「終了日時」に日時が格納されているオークションが終了したことを示す。また、「終了日時」に日時が格納されている場合には、現在価格が落札価格に該当し、入札者が落札者に該当する。また、図４の例において、「制作者ＩＤ」は、図１に示したコンテンツ制作者に付した参照符号に該当するものとする。例えば、制作者ＩＤ「ＣＰ１１」は、コンテンツ制作者ＣＰ１１を示す。また、以下では、図４に示した「入札者ＩＤ」に記憶されている情報を広告主の参照符号として用いる場合がある。例えば、入札者ＩＤ「Ｃ１１」によって識別される広告主を「広告主Ｃ１１」と表記する場合がある。
【００３４】
すなわち、図４では、コンテンツ制作者ＣＰ１１により、企画ＩＤ「Ｐ１０１」によって識別されるコンテンツが企画中であり、コンテンツの企画内容が動画等である例を示している。また、図４では、企画中のコンテンツがユーザに閲覧される予測回数が１２００００回である例を示している。また、図４では、コンテンツに５個の広告枠Ａ〜Ｅが組み込まれる例を示している。また、図４では、広告枠Ａに関するオークションは、オークションＩＤ「ＡＵ１１」によって識別され、同様に、広告枠Ｂ〜Ｅに関する各オークションは、それぞれオークションＩＤ「ＡＵ１２」、「ＡＵ１３」、「ＡＵ１４」、「ＡＵ１５」によって識別される例を示している。また、図４では、広告枠Ａ〜Ｅに関する各オークションが開催中又は未開催である例を示している。このように、オークション記憶部１２１は、１つの企画ＩＤ（すなわち、企画段階のコンテンツ）に対応付けて、コンテンツに組み込まれる各広告枠に対応するオークションＩＤを対応付けて記憶する。
【００３５】
なお、オークション記憶部１２１に記憶される情報は、図４に示した例に限られない。例えば、オークション記憶部１２１は、オークションＩＤ毎に、落札対象を即座に落札することができる価格を示す「即決価格」や、落札対象を落札することができる最小価格を示す「最低落札価格」などを記憶してもよい。これらの「即決価格」及び「最低落札価格」は、例えば、制作者端末１０からサービス提供装置１００に送信される広告枠情報に含まれ、コンテンツ制作者によって設定される。
【００３６】
履歴情報記憶部１２２は、コンテンツ制作者によって過去に制作されたコンテンツに関する各種情報を記憶する。図５に、実施形態に係る履歴情報記憶部１２２の一例を示す。図５に示すように、履歴情報記憶部１２２は、「制作者ＩＤ」、「制作済みコンテンツ」、「カテゴリ」、「閲覧日時」、「閲覧数」といった項目を有する。
【００３７】
「制作者ＩＤ」は、図４に示した制作者ＩＤに対応する。「制作済みコンテンツ」は、コンテンツ制作者が過去に制作したコンテンツを示す。図５では「制作済みコンテンツ」に「ＣＤ１１」といった概念的な情報が格納される例を示したが、実際には、動画等のコンテンツ、又は、コンテンツの格納場所を示すファイルパス名などが格納される。
【００３８】
「カテゴリ」は、制作済みコンテンツが属するカテゴリを示す。制作済みコンテンツのカテゴリの例としては、ドラマ、フィクション、アニメーション等が挙げられる。なお、コンテンツのカテゴリは、例えば企画情報に含まれ、コンテンツ制作者に設定される。ただし、コンテンツのカテゴリは、完成後のコンテンツを確認したサービス提供装置１００又は配信サーバ３０の管理者等によって設定されてもよい。「閲覧日時」は、コンテンツが閲覧された日時を示す。図５の例では、「閲覧日時」には年月日時分秒のうち年月を示す情報が格納される。「閲覧数」は、コンテンツが閲覧された回数を示す。言い換えれば、「閲覧数」は、配信サーバ３０によってユーザ端末４０にコンテンツ（実際には、後述する合成コンテンツ）が配信された回数を示す。図５では、「閲覧数」に、１ヶ月毎の閲覧数が記憶される例を示す。
【００３９】
すなわち、図５では、コンテンツ制作者ＣＰ１１により、過去にコンテンツ「ＣＤ１１」や「ＣＤ１２」が制作された例を示している。また、図５では、コンテンツ「ＣＤ１１」が、ドラマに関するコンテンツ（例えば、動画）である例を示している。また、図５では、コンテンツ「ＣＤ１１」が、２０１３年６月に３５０００回閲覧され、２０１３年７月に３５０００回閲覧され、２０１３年８月に４５０００回閲覧された例を示している。
【００４０】
なお、履歴情報記憶部１２２は、閲覧日時を記憶しなくてもよい。具体的には、履歴情報記憶部１２２は、制作済みコンテンツの配信が開始されてから現時点までの累計の閲覧数のみを記憶してもよい。
【００４１】
図３の説明に戻って、制御部１３０は、例えば、ＣＰＵ（Central  Processing  Unit）やＭＰＵ（Micro  Processing  Unit）等によって、サービス提供装置１００内部の記憶装置に記憶されている各種プログラム（サービス提供プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００４２】
図３に示すように、制御部１３０は、企画受付部１３１と、サービス提供部１３２と、落札金管理部１３３と、コンテンツ受付部１３４と、生成部１３５と、送信部１３６と、算出部１４１と、取得部１４２とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００４３】
企画受付部１３１は、コンテンツ制作を予定しているコンテンツ制作者（例えば、制作者端末１０）から、企画情報及び広告枠情報を受け付ける。具体的には、企画受付部１３１は、コンテンツ制作者から、コンテンツの企画内容を示す企画情報と、コンテンツ制作者によってコンテンツに設定される広告枠に関する広告枠情報とを受け付ける。そして、企画受付部１３１は、企画情報及び広告枠情報を受け付けた場合に、新たな企画ＩＤを払い出すとともに、コンテンツに設定される広告枠毎にオークションＩＤを払い出す。そして、企画受付部１３１は、企画ＩＤに対応付けて、企画情報をオークション記憶部１２１の「企画内容」に格納する。また、企画受付部１３１は、企画ＩＤに対応付けて、広告枠毎のオークションＩＤをオークション記憶部１２１に格納し、さらに、各オークションＩＤに対応付けて、広告枠情報をオークション記憶部１２１の「広告枠情報」に格納する。このとき、企画受付部１３１は、企画情報及び広告枠情報の送信元であるコンテンツ制作者に対応する制作者ＩＤについてもオークション記憶部１２１に格納する。この制作者ＩＤは、例えば、コンテンツ制作者によって企画情報及び広告枠情報とともに送信される。または、サービス提供装置１００によって提供される各種サービスを利用する際にログインを要する場合には、コンテンツ制作者のログインＩＤ等を制作者ＩＤとしてもよい。
【００４４】
なお、企画受付部１３１は、例えば企画情報を解析することで、コンテンツの種類、監督、出演者などの各項目に対応する情報を抽出する。例えば、企画情報がＸＭＬ（Extensible  Markup  Language）等のマークアップ言語で記述されている場合には、企画受付部１３１は、企画情報から各項目に対応する情報を容易に抽出することができる。また、企画情報のフォーマットが予め決められている場合には、企画受付部１３１は、予め決められている形式に基づいて、企画情報から各種情報を容易に抽出することができる。同様に、企画受付部１３１は、広告枠情報がマークアップ言語で記述されている場合や、広告枠情報のフォーマットが予め決められている場合には、広告枠情報から各種情報を容易に抽出することができる。
【００４５】
また、企画受付部１３１は、コンテンツ制作者によって設定されたオークション期間を含む広告枠情報を受け付けてもよい。この場合、企画受付部１３１は、広告枠情報に含まれるオークション期間をオークション記憶部１２１に格納する。ただし、この例に限られず、企画受付部１３１は、予め決められているオークション期間をオークション記憶部１２１に格納してもよい。例えば、企画受付部１３１は、広告枠情報を受け付けた日時から所定の日数が経過するまでの期間をオークション期間としてもよい。
【００４６】
また、企画受付部１３１は、企画情報や広告枠情報を入力するための入稿サイトをコンテンツ制作者に提供してもよい。例えば、企画受付部１３１は、コンテンツの種類や、企画内容等を入力するための入稿サイトを提供する。また、例えば、企画受付部１３１は、広告枠が再生される時間的な位置（以下、再生位置と表記する場合がある）や、広告枠の再生時間や、広告枠の表示サイズ等を入力するための入稿サイトを提供する。この場合、企画受付部１３１は、入稿サイトに入力された各種情報を企画情報及び広告枠情報として受け付ける。
【００４７】
なお、実施形態に係る算出部１４１は、企画受付部１３１によって企画情報が取得された場合に、コンテンツの予測ＰＶ数を算出する。算出部１４１による処理については後述する。
【００４８】
サービス提供部１３２は、後述する算出部１４１によって算出される予測ＰＶ数と、企画受付部１３１によって受け付けられた企画情報とを提示するとともに、コンテンツ制作者によってコンテンツに設定される広告枠に広告を表示する権利を落札対象とするオークションサービスを提供する。
【００４９】
具体的には、サービス提供部１３２は、広告主端末２０からオークションページの取得要求を受信した場合に、オークションページを広告主端末２０に提供する。このとき、サービス提供部１３２は、コンテンツの予測ＰＶ数と、コンテンツの企画内容と、広告枠毎のオークションに関する情報とが掲載されているオークションページを提供する。
【００５０】
一例を挙げて説明すると、サービス提供部１３２は、オークション記憶部１２１から、企画中のコンテンツに関する各種情報を取得する。図４の例の場合、サービス提供部１３２は、オークション記憶部１２１から、企画ＩＤ毎に、企画内容や、予測ＰＶ数や、オークションＩＤ毎の広告枠情報、現在価格、入札者ＩＤ及び終了日時などを取得する。このとき、サービス提供部１３２は、開催中のオークションが１つ以上存在する企画ＩＤに対応する各種情報のみを取得する。具体的には、サービス提供部１３２は、現在日時がオークション期間に含まれ、かつ、終了日時に日付の情報が格納されていないオークションＩＤに対応する企画ＩＤを特定し、特定した企画ＩＤに対応する各種情報をオークション記憶部１２１から取得する。
【００５１】
そして、サービス提供部１３２は、企画中のコンテンツに関する各種情報の一覧が表示されるウェブページである一覧ページを生成する。そして、サービス提供部１３２は、生成した一覧ページを広告主端末２０に送信する。これにより、サービス提供部１３２は、一覧ページから選択された企画中のコンテンツに対応する企画ＩＤを含む取得要求を広告主端末２０から受信する。この場合、サービス提供部１３２は、取得要求に含まれる企画ＩＤに対応する各種情報を用いて、企画内容等が掲載されているオークションページを生成し、生成したオークションページを広告主端末２０に提供する。
【００５２】
また、サービス提供部１３２は、オークションページを介して、入札価格を含む入札情報を広告主端末２０から受信する。この場合、サービス提供部１３２は、入札対象のオークションを示すオークションＩＤに対応付けて、入札情報に含まれる入札価格をオークション記憶部１２１に格納する。このとき、サービス提供部１３２は、入札情報の送信元である入札者に対応する入札者ＩＤについてもオークション記憶部１２１に格納する。なお、サービス提供部１３２は、入札情報とともに入札者ＩＤを受け付けてもよいし、入札者のログインＩＤ等を入札者ＩＤとしてもよい。また、サービス提供部１３２は、オークションが成立した場合には、オークションが終了した日時をオークション記憶部１２１の終了日時に格納する。
【００５３】
ここで、図６に、実施形態に係る一覧ページの一例を示す。図６に示す例のように、サービス提供部１３２は、一覧ページＷ１０に、コンテンツの制作を企画しているコンテンツ制作者と、コンテンツの予測ＰＶ数と、企画概要との一覧を掲載する。また、サービス提供部１３２は、一覧ページＷ１０に、企画中のコンテンツを選択するための次へボタンを掲載する。なお、企画概要とは、オークション記憶部１２１に記憶されている企画内容の一部又は全部に該当する。
【００５４】
そして、サービス提供部１３２は、図６に示した一覧ページＷ１０において、企画中のコンテンツのいずれかが選択された場合に、図７に例示するオークションページＷ２０を広告主端末２０に配信する。図７は、実施形態に係るオークションページＷ２０の一例を示す図である。図７では、図４に示した企画ＩＤ「Ｐ１０１」に対応するオークションページＷ２０の一例を示す。図７に示す例のように、サービス提供部１３２は、オークションページＷ２０の企画表示欄Ｒ１１に、オークション記憶部１２１に記憶されている企画内容を掲載する。また、サービス提供部１３２は、オークションページＷ２０の入札表示欄Ｒ１２に、企画ＩＤ「Ｐ１０１」に対応付けてオークション記憶部１２１に記憶されている予測ＰＶ数を掲載するとともに、オークションＩＤ毎の広告枠情報等を掲載する。また、サービス提供部１３２は、オークションページＷ２０のイメージ表示欄Ｒ１３に、広告枠の再生位置が視認可能なイメージ図を掲載する。このように、サービス提供部１３２は、広告枠情報に複数の広告枠に関する情報が含まれる場合には、全ての広告枠情報をオークションページＷ２０に掲載するとともに、各広告枠に関するオークションを個別に開催する。
【００５５】
また、ここでは図示することを省略するが、サービス提供部１３２は、入札表示欄Ｒ１２に表示されている入札ボタンが押下された場合には、入札価格を入力するための入札ページを広告主端末２０に提供する。これにより、サービス提供部１３２は、入札ページを介して、入札価格を含む入札情報を広告主端末２０から受信する。
【００５６】
そして、サービス提供部１３２は、各広告枠に関する全てのオークションが終了した場合に、全てのオークションが正式に成立したものとする。具体的には、サービス提供部１３２は、各広告枠に関するオークションのうち一部のオークションが終了した場合であっても、全てのオークションが成立するまでは、かかる一部のオークションが仮に成立した状態であるものとする。図７に示した例の場合、サービス提供部１３２は、広告枠Ａ〜Ｅに関する５個のオークションを開催する。ここで、各オークションの開催期間が異なる場合や、各オークションに即決価格が設定されている場合には、５個のオークションが同時に終了するとは限らない。例えば、５個のオークションのうち、広告枠Ａに関するオークションのみが終了したものとする。この場合、サービス提供部１３２は、５個のオークションの全てが成立するまでは、広告枠Ａに関するオークションが仮に成立した状態であり、落札者が仮に決定された状態であるものとする。そして、サービス提供部１３２は、５個のオークションの全てが終了した後に、全てのオークションが正式に成立したものとして、各オークションの落札者を確定させる。すなわち、サービス提供部１３２は、落札者が決定してオークションが終了するたびにオークション記憶部１２１に終了日時を格納するが、１つの企画ＩＤに対応付けられている複数のオークションＩＤのうち、全てのオークションＩＤに対応する終了日時を格納した場合に、全てのオークションが正式に成立したものとする。
【００５７】
ここで、サービス提供部１３２は、複数のオークションのうち、一部のオークションが成立しなかった場合には、全てのオークションを不成立としてもよい。オークションが成立しない態様としては、入札件数が１件もなかった場合や、入札価格の最高額が最低落札価格に達しない場合などが挙げられる。この場合に、サービス提供部１３２は、全てのオークションを再度開催してもよい。または、サービス提供部１３２は、成立しなかった一部のオークションのみを再度開催してもよい。このとき、サービス提供部１３２は、再度開催するオークションには、前回の最低落札価格よりも低い最低落札価格を設定してもよい。または、サービス提供部１３２は、複数のオークションのうち一部のオークションが成立しなかった場合には、その旨をコンテンツ制作者に通知してもよい。そして、サービス提供部１３２は、コンテンツ制作者からの指示に従って、全てのオークションを再度開催してもよいし、成立しなかった一部のオークションのみを再度開催するか決定してもよい。
【００５８】
なお、図６に示した一覧ページＷ１０は、図示した例に限られない。例えば、サービス提供部１３２は、コンテンツ制作者の氏名等を掲載してもよい。また、図７に示したオークションページＷ２０は、図示した例に限られない。例えば、サービス提供部１３２は、コンテンツ制作者の氏名等を企画表示欄Ｒ１１に掲載してもよい。また、例えば、サービス提供部１３２は、最高価格を入札している入札者に関する情報（例えば、企業名や業種）を表示してもよい。また、例えば、コンテンツ制作者は、コンテンツの制作にかかる費用の想定額として、落札価格の目標額を企画情報に設定してもよい。この場合に、サービス提供部１３２は、落札価格の目標額を企画表示欄Ｒ１１に掲載してもよい。また、例えば、サービス提供部１３２は、オークションの開催期間を入札表示欄Ｒ１２に掲載してもよい。また、例えば、サービス提供部１３２は、イメージ表示欄Ｒ１３にイメージ図を掲載しなくてもよい。
【００５９】
落札金管理部１３３は、落札者から入金される落札金を管理する。具体的には、落札金管理部１３３は、落札者から落札金が入金された場合であっても、即座に全ての落札金をコンテンツ制作者に送金せずに蓄積しておく。そして、落札金管理部１３３は、コンテンツ制作者からコンテンツ制作にかかる費用を請求されるたびに、蓄積している落札金から請求額に相当する金額をコンテンツ制作者に送金する。例えば、落札金管理部１３３は、コンテンツ制作時に実際に消費した衣料費や撮影費や食費などの請求データや、コンテンツ制作において直近で消費する可能性のある衣料費や撮影費や食費などの請求データを制作者端末１０から受信する。そして、落札金管理部１３３は、受信した請求データに対応する金額をコンテンツ制作者に送金する。なお、落札金管理部１３３は、オークション記憶部１２１に記憶されている現在価格（すなわち、落札価格）を用いて、落札金を管理する。
【００６０】
このように、落札金管理部１３３は、落札者から入金される落札金を即座にコンテンツ制作者に送金せずに、コンテンツ制作者からの要求に応じて徐々に落札金を送金する。これにより、落札金管理部１３３は、実際にはコンテンツを制作しないコンテンツ制作者に落札金が持ち逃げされることを防止できる。この結果、落札金管理部１３３は、サービス提供装置１００により提供されるオークションサービスが悪用されることを防止できる。
【００６１】
なお、コンテンツ制作者から請求される総額が落札金よりも低い場合には、落札金管理部１３３によって管理されている落札金は余ることとなる。この場合、落札金管理部１３３は、コンテンツ制作者がコンテンツを制作した後に、余剰金をコンテンツ制作者に送金してもよい。これにより、落札金管理部１３３は、コンテンツを完成させたことに対する報酬をコンテンツ制作者に支払うことになるので、コンテンツ制作者の創作意欲を向上させることができる。
【００６２】
また、上記例では、落札金管理部１３３が落札金をコンテンツ制作者に送金する例を示したが、落札金管理部１３３は、コンテンツ制作者に送金する金額を算定する処理のみを行ってもよい。そして、サービス提供装置１００の管理者等が、落札金管理部１３３によって算定された金額をコンテンツ制作者に送金してもよい。
【００６３】
コンテンツ受付部１３４は、コンテンツ制作者（例えば、制作者端末１０）から企画情報に対応するコンテンツを受け付ける。例えば、コンテンツ受付部１３４は、企画情報を送信したコンテンツ制作者がコンテンツを完成させた場合に、コンテンツの完成品を受け付ける。また、コンテンツ受付部１３４は、落札者（例えば、広告主端末２０）から、広告枠に組み込まれる広告データを受け付ける。
【００６４】
なお、広告を表示する権利を有する落札者は、この権利を他の広告主に譲渡してもよい。この場合、コンテンツ受付部１３４は、落札者に限らず、広告を表示する権利を有する広告主から広告データを受け付ける。以下、単に「落札者」と表記する場合であっても、この落札者には、広告を表示する権利が譲渡された広告主も含まれるものとする。
【００６５】
生成部１３５は、コンテンツ受付部１３４によって受け付けられたコンテンツ及び広告データを合成することで、合成コンテンツを生成する。具体的には、生成部１３５は、サービス提供部１３２によって提供されるオークションサービスにおいて、所定の企画情報（企画ＩＤ）に対応する全てのオークションが成立した後に、合成コンテンツを生成する。このとき、生成部１３５は、オークション記憶部１２１に記憶されている広告枠情報に基づいて、コンテンツ制作者によって制作されたコンテンツに設定されている広告枠に、かかる広告枠に広告を表示する権利を落札した広告主の広告データを組み込むことで合成コンテンツを生成する。
【００６６】
なお、上述したように、広告主によって落札される広告枠は、プロダクトプレイスメントのように、宣伝商品を映像に登場させる出演枠に該当する場合もある。この場合、コンテンツ制作者は、例えば落札者である広告主から宣伝商品を受け取り、受け取った宣伝商品を用いて動画等のコンテンツを制作することになる。このため、広告枠がプロダクトプレイスメントである場合には、コンテンツ制作者が、広告データを含む合成コンテンツを制作することになる。すなわち、コンテンツ受付部１３４によって受け付けられたコンテンツが合成コンテンツに該当する場合がある。このようなことから、上述した生成部１３５は、コンテンツに設定される広告枠がプロダクトプレイスメントのみである場合には、合成コンテンツの生成処理を行わない。言い換えれば、生成部１３５は、図１等に示した広告枠Ａ〜Ｃのように、コンテンツの完成品に組み込むことが可能な広告枠がコンテンツに設定されている場合に、上述した合成コンテンツの生成処理を行う。
【００６７】
送信部１３６は、生成部１３５によって生成された合成コンテンツ、又は、コンテンツ受付部１３４によって受け付けられた合成コンテンツを配信サーバ３０に送信する。これにより、配信サーバ３０は、ユーザ端末４０からの要求に応じて、広告データが組み込まれた合成コンテンツをユーザ端末４０に配信することとなる。
【００６８】
算出部１４１は、企画中のコンテンツがユーザに閲覧される回数の予測値である予測ＰＶ数を算出する。具体的には、算出部１４１は、企画受付部１３１によって企画情報が受け付けられた場合に、受け付けられた企画情報と、履歴情報記憶部１２２に記憶されている各種情報とに基づいて、予測ＰＶ数を算出する。そして、算出部１４１は、算出した予測ＰＶ数をオークション記憶部１２１に格納する。
【００６９】
一態様として、算出部１４１は、企画情報を送信したコンテンツ制作者によって過去に制作されたコンテンツの閲覧数に基づいて、企画情報に対応するコンテンツの予測ＰＶ数を算出する。具体的には、算出部１４１は、履歴情報記憶部１２２に記憶されている制作済みコンテンツのうち、企画情報を送信したコンテンツ制作者の制作者ＩＤに対応する制作済みコンテンツを特定する。そして、算出部１４１は、特定した制作済みコンテンツに対応する閲覧数に基づいて、企画中のコンテンツの予測ＰＶ数を算出する。例えば、算出部１４１は、予測ＰＶ数として、制作済みコンテンツに対応する閲覧数の平均値を算出する。これは、コンテンツ制作者が同一であるコンテンツのＰＶ数は、一定の範囲となることが考えられるからである。
【００７０】
上記の算出処理について図５の例を用いて説明する。ここでは、コンテンツ制作者ＣＰ１１によって企画情報が送信されたものとする。この場合、算出部１４１は、制作者ＩＤが「ＣＰ１１」である制作済みコンテンツ「ＣＤ１１」及び「ＣＤ１２」を特定する。そして、算出部１４１は、制作済みコンテンツ「ＣＤ１１」の閲覧数の合計「１１５０００」を算出し、制作済みコンテンツ「ＣＤ１２」の閲覧数の合計「１２５０００」を算出する。そして、算出部１４１は、双方の合計の平均値「１２００００」を予測ＰＶ数として算出する。なお、算出部１４１は、閲覧数の平均値から所定の割合だけ減算した値を予測ＰＶ数として算出してもよい。
【００７１】
また、他の態様として、実施形態に係る算出部１４１は、履歴情報記憶部１２２に記憶されている全ての制作済みコンテンツ（すなわち、企画情報を送信したコンテンツ制作者に限らず、様々なコンテンツ制作者によって過去に制作された制作済みコンテンツ）のうち、企画受付部１３１によって受け付けられた企画情報に対応する制作済みコンテンツの閲覧数に基づいて、企画情報に対応するコンテンツの予測ＰＶ数を算出する。具体的には、算出部１４１は、企画情報に含まれるコンテンツのカテゴリが一致する制作済みコンテンツを特定し、特定した制作済みコンテンツに対応する閲覧数に基づいて予測ＰＶ数を算出する。これは、カテゴリが同一であるコンテンツのＰＶ数は、一定の範囲となることが多いからである。例えば、ドラマに関するコンテンツは、一般的に１０万回ほど閲覧される傾向があり、アニメーションに関するコンテンツは、一般的に５万回ほど閲覧される傾向があることなどが考えられる。
【００７２】
上記の算出処理について図５の例を用いて説明する。ここでは、企画情報に含まれるコンテンツのカテゴリが「ドラマ」であるものとする。この場合、算出部１４１は、カテゴリが「ドラマ」である制作済みコンテンツ「ＣＤ１１」及び「ＣＤ２１」を特定する。そして、算出部１４１は、制作済みコンテンツ「ＣＤ１１」の閲覧数の合計「１１５０００」を算出し、制作済みコンテンツ「ＣＤ２１」の閲覧数の合計「３００００」を算出する。そして、算出部１４１は、双方の合計の平均値「７２５００」を予測ＰＶ数として算出する。
【００７３】
取得部１４２は、コンテンツの予測ＰＶ数を算出する際に用いる各種情報を取得する。具体的には、取得部１４２は、生成部１３５によって生成された合成コンテンツを、コンテンツ制作者の制作者ＩＤに対応付けて、履歴情報記憶部１２２の制作済みコンテンツに格納する。すなわち、取得部１４２は、生成部１３５によって生成された合成コンテンツを、コンテンツ制作者によって過去に制作されたコンテンツとして履歴情報記憶部１２２に格納する。ただし、この例に限られず、取得部１４２は、コンテンツ受付部１３４によって受け付けられたコンテンツを履歴情報記憶部１２２の制作済みコンテンツに格納してもよい。
【００７４】
また、取得部１４２は、定期的に配信サーバ３０にアクセスすることで、合成コンテンツ毎の配信数を配信サーバ３０から取得する。そして、取得部１４２は、各合成コンテンツの配信数を、かかる合成コンテンツ（制作済みコンテンツ）に対応付けて、履歴情報記憶部１２２の閲覧数に格納する。このとき、取得部１４２は、配信サーバ３０から取得した合成コンテンツ毎の配信数を蓄積しておき、所定期間（例えば、１ヶ月）毎の閲覧数を履歴情報記憶部１２２の閲覧数に格納する。
【００７５】
〔４．サービス提供処理手順〕
次に、図８を用いて、実施形態に係るサービス提供システム１によるサービス提供処理の手順について説明する。図８は、実施形態に係るサービス提供システム１によるサービス提供処理手順を示すシーケンス図である。なお、図８では、１台の広告主端末２０のみを示すが、実際には複数台の広告主端末２０が存在する。
【００７６】
図８に示すように、コンテンツ制作者は、制作者端末１０を用いて企画情報及び広告枠情報をサービス提供装置１００に送信する（ステップＳ１０１）。この場合、サービス提供装置１００は、企画情報及び広告枠情報をオークション記憶部１２１に格納する。
【００７７】
なお、図８の例では、コンテンツ制作者が企画情報及び広告枠情報を同時に送信する例を示した。しかし、コンテンツ制作者は、企画情報と広告枠情報とを異なるタイミングで送信してもよい。例えば、コンテンツ制作者は、企画情報の後に広告枠情報をサービス提供装置１００に送信してもよい。また、例えば、コンテンツ制作者は、上述した入稿サイトに各種情報を入力することで、企画情報及び広告枠情報をサービス提供装置１００に送信してもよい。この場合、コンテンツ制作者は、最初に企画情報を入稿サイトに入力し、別の日などに広告枠情報を入稿サイトに入力してもよい。
【００７８】
続いて、サービス提供装置１００は、ステップＳ１０１において受信した企画情報に基づいて、かかる企画情報に対応するコンテンツの予測ＰＶ数を算出する（ステップＳ１０２）。
【００７９】
続いて、サービス提供装置１００は、広告主端末２０からオークションページの取得要求を受信する（ステップＳ１０３）。例えば、サービス提供装置１００は、図６に例示した一覧ページを介して、オークションページの取得要求を受信する。この場合、サービス提供装置１００は、コンテンツの予測ＰＶ数と、コンテンツの企画内容とが掲載されたオークションページを広告主端末２０に提供する（ステップＳ１０４）。そして、サービス提供装置１００は、オークションページを介して、入札価格を含む入札情報を広告主端末２０から受信する（ステップＳ１０５）。このようにして、サービス提供装置１００は、複数の広告主端末２０から入札情報を受信する。
【００８０】
そして、サービス提供装置１００は、広告主端末２０から受信した入札情報に基づいて、落札者を決定する（ステップＳ１０６）。例えば、サービス提供装置１００は、オークション開催期間が満了した日時に最高価格を入札している広告主を落札者に決定する。そして、サービス提供装置１００は、落札者から入金される落札金を管理する。この後に、サービス提供装置１００は、コンテンツ制作者から制作費を請求された場合に、落札金の中から請求額をコンテンツ制作者に送金する。
【００８１】
また、落札者は、広告主端末２０を用いて広告データをサービス提供装置１００に送信する（ステップＳ１０７）。また、コンテンツ制作者は、コンテンツを制作した場合に、制作者端末１０を用いてコンテンツをサービス提供装置１００に送信する（ステップＳ１０８）。
【００８２】
そして、サービス提供装置１００は、コンテンツ制作者から受け付けたコンテンツに、広告主から受け付けた広告データを組み込むことで合成コンテンツを生成し、生成した合成コンテンツを配信サーバ３０に送信する（ステップＳ１０９）。
【００８３】
〔５．変形例〕
上述した実施形態に係るサービス提供システム１は、上記実施形態以外にも種々の異なる形態にて実施されてよい。そこで、以下では、サービス提供システム１の他の実施形態について説明する。
【００８４】
〔５−１．予測ＰＶ数の算出手法〕
上記実施形態では、サービス提供装置１００が、「企画中のコンテンツとコンテンツ制作者が一致する制作済みコンテンツの閲覧数」、又は、「企画中のコンテンツとカテゴリが一致する制作済みコンテンツの閲覧数」といった予測要素に基づいて、予測ＰＶ数を算出する例を示した。しかし、サービス提供装置１００の算出部１４１は、複数の予測要素を用いて予測ＰＶ数を算出してもよい。
【００８５】
例えば、算出部１４１は、「企画中のコンテンツとコンテンツ制作者が一致する制作済みコンテンツの閲覧数」と、「企画中のコンテンツとカテゴリが一致する制作済みコンテンツの閲覧数」とを用いて予測ＰＶ数を算出してもよい。以下に、算出部１４１が、双方の予測要素から回帰モデル（以下、「ＰＶ数モデルＭ１」とする）を生成し、生成したＰＶ数モデルＭ１から予測ＰＶ数を算出する例について説明する。
【００８６】
まず、算出部１４１は、履歴情報記憶部１２２に記憶されている閲覧数を従属変数（目的変数）とし、履歴情報記憶部１２２に記憶されている制作者ＩＤやカテゴリを独立変数（説明変数）として回帰分析を行うことにより、制作者ＩＤやカテゴリによって予測ＰＶ数を表すＰＶ数モデルＭ１を生成する。例えば、算出部１４１によって算出されるＰＶ数モデルＭ１は、以下の式（１）のように表される。
【００８７】
ｐｖ  ＝  ａ０・ｘ０＋ａ１・ｘ１  ・・・  （１）
【００８８】
上記式（１）のうち、「ｐｖ」は、履歴情報記憶部１２２に記憶されている閲覧数を示す。また、「ｘ０」は、制作者ＩＤ毎の閲覧数の平均値を示す。図５の例の場合、コンテンツ制作者ＣＰ１１によって制作された制作済みコンテンツ「ＣＤ１１」の閲覧数が「１１５０００」であり、制作済みコンテンツ「ＣＤ１２」の閲覧数が「１２５０００」である。このため、コンテンツ制作者ＣＰ１１に対応する「ｘ０」は、「１２００００」となる。また、「ｘ１」は、カテゴリ毎の閲覧数の平均値を示す。図５の例の場合、カテゴリ「ドラマ」に対応する制作済みコンテンツ「ＣＤ１１」の閲覧数が「１１５０００」であり、制作済みコンテンツ「ＣＤ２１」の閲覧数が「３００００」である。このため、カテゴリ「ドラマ」に対応する「ｘ１」は、「７２５００」となる。
【００８９】
例えば、図５に示した制作済みコンテンツ「ＣＤ１１」の場合、閲覧数「ｐｖ」は、「１１５０００」である。また、上記例のように、コンテンツ制作者ＣＰ１１に対応する「ｘ０」は、「１２００００」であり、カテゴリ「ドラマ」に対応する「ｘ１」は、「７２５００」である。この場合、上記式（１）は、以下の式（２）のように表される。
【００９０】
ｐｖ  ＝  ａ０・ｘ０＋ａ１・ｘ１  ・・・  （１）
１１５０００＝  ａ０・（１２００００）＋ａ１・（７２５００）  ・・・  （２）
【００９１】
算出部１４１は、制作済みコンテンツ「ＣＤ１２」や「ＣＤ２１」についても、上記式（２）と同様の式を求める。そして、算出部１４１は、各制作済みコンテンツに対応する式を回帰分析することで、各式を近似的に満たすような「ａ０」及び「ａ１」を算出し、算出した「ａ０」及び「ａ１」を上記式（１）に適用することで、ＰＶ数モデルＭ１を生成する。
【００９２】
そして、算出部１４１は、企画受付部１３１によって企画情報が受け付けられた場合に、上記式（１）で表されるＰＶ数モデルＭ１を用いて、予測ＰＶ数を算出する。具体的には、算出部１４１は、上記式（１）の「ｘ０」に、企画情報を送信したコンテンツ制作者に対応する制作済みコンテンツの閲覧数の平均値を代入する。また、算出部１４１は、上記式（１）の「ｘ１」に、企画情報に含まれるカテゴリに対応する制作済みコンテンツの閲覧数の平均値を代入する。これにより、算出部１４１は、企画情報によって示されるコンテンツの予測ＰＶ数を算出する。
【００９３】
このように、サービス提供装置１００は、複数の予測要素を用いることで、予測ＰＶ数を高精度に算出することができる。この結果、サービス提供装置１００は、広告主に対して、より高い付加価値のあるサービスを提供することができる。
【００９４】
なお、上記式（１）では、線形モデルを例に挙げたが、算出部１４１は、線形モデルではなく、下記式（３）のような「log  linear」モデルを用いてもよい。
【００９５】
ｐｖ  ＝  １／｛１＋ｅｘｐ（−（ａ０・ｘ０＋ａ１・ｘ１））｝  ・・・  （３）
【００９６】
〔５−２．予測ＰＶ数の更新（１）〕
また、上述してきたサービス提供装置１００の企画受付部１３１は、コンテンツ制作者から、企画情報を段階的に複数回にわたって受け付けてもよい。この場合、算出部１４１は、企画受付部１３１によって新たな企画情報が受け付けられるたびに、新たな企画情報に対応する制作済みコンテンツの閲覧数に基づいて予測ＰＶ数を算出してもよい。この場合、算出部１４１は、オークション記憶部１２１に記憶されている予測ＰＶ数を、新たに算出した予測ＰＶ数に更新する。また、サービス提供部１３２は、算出部１４１によって新たに算出された予測ＰＶ数を提示するとともに、オークションサービスを提供する。この点について図９を用いて説明する。
【００９７】
図９は、変形例に係るサービス提供処理の一例を示す図である。図９に示すように、コンテンツ制作者ＣＰ１１は、制作者端末１０を用いて、最初に企画情報ＰＤ１をサービス提供装置１００に送信する。企画情報ＰＤ１には、コンテンツの種別に関する情報が含まれるものの、その他の情報（監督、出演者、企画概要など）は含まれない。この場合に、算出部１４１は、企画情報ＰＤ１に基づいて、コンテンツ制作者ＣＰ１１が企画しているコンテンツの予測ＰＶ数を算出する。例えば、算出部１４１は、コンテンツ制作者ＣＰ１１が過去に制作した制作済みコンテンツの閲覧数を用いて予測ＰＶ数を算出する。
【００９８】
この後に、サービス提供装置１００のサービス提供部１３２は、オークションサービスの提供を開始する。この時点では、サービス提供部１３２は、「企画中のコンテンツとコンテンツ制作者が一致する制作済みコンテンツの閲覧数」といった予測要素から算出される予測ＰＶ数をオークションページに掲載する。
【００９９】
続いて、コンテンツ制作者ＣＰ１１は、企画情報ＰＤ２をサービス提供装置１００に送信する。企画情報ＰＤ２には、コンテンツの種別だけなく、企画概要に関する情報が含まれる。すなわち、企画情報ＰＤ２には、企画情報ＰＤ１を補充する情報が含まれる。この場合に、算出部１４１は、企画情報ＰＤ２に基づいて、予測ＰＶ数を新たに算出する。例えば、算出部１４１は、上述したＰＶ数モデルＭ１を用いて、予測ＰＶ数を算出する。すなわち、算出部１４１は、企画情報ＰＤ１を受け付けた時点よりも多くの予測要素を用いて予測ＰＶ数を算出する。このため、算出部１４１は、企画情報ＰＤ１を受け付けた時点よりも、予測ＰＶ数を高精度に算出することができる。そして、サービス提供部１３２は、この後に広告主端末２０に配信するオークションページには、算出部１４１によってＰＶ数モデルＭ１から算出された予測ＰＶ数を掲載する。
【０１００】
このように、サービス提供装置１００は、企画情報を段階的に複数回にわたって受け付けてもよい。これにより、サービス提供装置１００は、コンテンツ制作者にとって実用的なオークションサービスを実現することができる。例えば、コンテンツ制作者は、企画内容を十分に検討できていない場合であっても、企画内容の簡易版をサービス提供装置１００に送信することで、オークションを開催させることができる。そして、サービス提供装置１００は、企画情報を段階的に受け付ける場合には、企画情報を受け付けるたびに予測ＰＶ数を更新する。これにより、サービス提供装置１００は、企画情報が充実するたびに、的中率の高い予測ＰＶ数を広告主（入札者）に提供することができる。
【０１０１】
〔５−３．予測ＰＶ数の更新（２）〕
また、図９では、サービス提供装置１００が、企画情報を段階的に受け付ける場合に予測ＰＶ数を更新する例を示した。しかし、サービス提供装置１００は、企画情報を段階的に受け付けない場合であっても、予測ＰＶ数を更新してもよい。具体的には、算出部１４１は、サービス提供部１３２によってオークションサービスが提供されている最中に、入札数又は最高入札価格などのオークション情報に対応する制作済みコンテンツの閲覧数に基づいて予測ＰＶ数を定期的に算出してもよい。この場合、サービス提供部１３２は、算出部１４１によって新たに算出された予測ＰＶ数を提示するとともに、オークションサービスを提供する。この点について図１０を用いて説明する。
【０１０２】
図１０は、変形例に係るオークション記憶部１２３の一例を示す図である。変形例に係るサービス提供装置１００は、図４に示したオークション記憶部１２１の代わりに、図１０に示したオークション記憶部１２３を有する。図１０に示すように、オークション記憶部１２３は、オークション情報の一例として、「総入札数」、「総落札価格」といった情報を記憶する。なお、図１０では図示することを省略したが、オークション記憶部１２３は、図４に示した「企画内容」、「広告枠情報」、「オークション期間」、「現在価格」、「入札者ＩＤ」、「終了日時」についても記憶する。
【０１０３】
「総入札数」は、企画ＩＤに対応する各オークションに入札された入札数の合計を示す。「総落札価格」は、企画ＩＤに対応する各オークションにおける落札価格の総額を示す。これらの「総入札数」及び「総落札価格」は、企画ＩＤに対応する全てのオークションが終了した後に、サービス提供部１３２によって格納される。図１０では、企画ＩＤ「Ｐ１１」及び「Ｐ１２」に対応する各オークションは終了しており、企画ＩＤ「Ｐ１０１」に対応する各オークションは終了していない例を示す。すなわち、図１０に示したオークション記憶部１２３は、企画ＩＤ「Ｐ１１」及び「Ｐ１２」に対応する各種情報を履歴情報として記憶する。
【０１０４】
ここで、算出部１４１は、オークション記憶部１２３に記憶されている終了済みのオークションに基づいて、総入札数や総落札価格から予測ＰＶ数を算出するための回帰モデル（以下、「ＰＶ数モデルＭ２」とする）を生成する。例えば、算出部１４１は、履歴情報記憶部１２２に記憶される閲覧数を従属変数（目的変数）とし、オークション記憶部１２３に記憶されている総入札数や総落札価格を独立変数（説明変数）として回帰分析を行うことにより、総入札数や総落札価格によって予測ＰＶ数を表すＰＶ数モデルＭ２を生成する。
【０１０５】
そして、算出部１４１は、オークションサービスの提供を開催した後に、ＰＶ数モデルＭ２を用いて予測ＰＶ数を定期的に更新する。以下、図１０に示した企画ＩＤ「Ｐ１０１」を例に挙げて、予測ＰＶ数の更新処理について説明する。なお、ここでは、企画ＩＤ「Ｐ１０１」に対応する各オークションが開催中であるものとする。
【０１０６】
まず、算出部１４１は、企画ＩＤ「Ｐ１０１」に対応するオークションＩＤ「ＡＵ１１」〜「ＡＵ１５」によって識別される開催中の各オークションにおける総入札数と、現在価格の総額（以下、「総入札価格」とする）とを算出する。例えば、これらの総入札数及び総入札価格は、オークション開催中にサービス提供部１３２によって所定の記憶部（オークション記憶部１２３等であってもよい）に一時的に記憶される。
【０１０７】
そして、算出部１４１は、算出した総入札数に基づいて、開催中の各オークションが終了した場合における総入札数を予測する。具体的には、算出部１４１は、オークションの開催期間と、オークション開催日から現在日までの経過日数とに基づいて、オークション終了時における総入札数及び総落札価格を予測する。例えば、算出部１４１は、過去に開催されたオークションの履歴に基づいて、オークションの開催期間及び経過日数から総入札数を予測することができる。一例を挙げて説明すると、サービス提供装置１００は、過去に開催されたオークションに関するオークション履歴情報として、各オークションにおける開催期間と、経過日数毎の総入札数及び総入札価格とを記憶しているものとする。この場合、算出部１４１は、オークション履歴情報に記憶されている開催期間及び経過日数と総入札数及び総入札価格との関係性を分析することで、開催中の各オークションにおける開催期間及び経過日数から、かかる開催中の各オークションが終了した場合における総入札数及び総入札価格を予測することができる。そして、算出部１４１は、予測した総入札数及び総落札価格をＰＶ数モデルＭ２に代入することで予測ＰＶ数を算出する。
【０１０８】
このように、サービス提供装置１００は、オークションサービスの提供中に、オークションに関する各種情報（入札数や入札価格）に基づいて、予測ＰＶ数を順次算出してもよい。ここで、企画内容が優れている場合には、多くのユーザにコンテンツが閲覧されることが予想されるので、オークションの入札数や落札価格は増大する傾向にある。そして、実際に企画内容が優れている場合には、一般的に多くのユーザにコンテンツが閲覧される傾向にある。すなわち、オークション開催中に算出部１４１によって予測される総入札数及び総落札価格は、企画内容の評価指標を示すと言える。そして、上記のＰＶ数モデルＭ２は、企画内容の評価指標と実際の閲覧数との関係を示すといえる。このようなことから、算出部１４１は、ＰＶ数モデルＭ２を用いて予測ＰＶ数を高精度に算出することができる。
【０１０９】
〔５−４．予測処理に用いる予測要素〕
また、上記実施形態では、サービス提供装置１００が、予測ＰＶ数を算出する際に、「企画中のコンテンツとコンテンツ制作者が一致する制作済みコンテンツの閲覧数」や、「企画中のコンテンツとカテゴリが一致する制作済みコンテンツの閲覧数」や、「総入札数」や、「総落札価格」などを用いる例を示した。しかし、サービス提供装置１００の算出部１４１は、これらの予測要素以外の予測要素を用いて、予測ＰＶ数を算出してもよい。
【０１１０】
例えば、算出部１４１は、「企画中のコンテンツと監督が一致する制作済みコンテンツの閲覧数」や、「企画中のコンテンツと出演者が一致する制作済みコンテンツの閲覧数」や、「企画中のコンテンツと再生時間が同等である制作済みコンテンツの閲覧数」や、「企画中のコンテンツに設定される広告枠の数が同等（所定数の範囲内）である制作済みコンテンツの閲覧数」や、「企画中のコンテンツに設定される広告枠の位置が類似する制作済みコンテンツの閲覧数」などの予測要素を用いて予測ＰＶ数を算出してもよい。この場合、算出部１４１は、これらの予測要素を用いてＰＶ数モデルを生成し、生成したＰＶ数モデルから予測ＰＶ数を算出する。
【０１１１】
〔５−５．期間毎の予測ＰＶ数〕
また、上述してきたサービス提供装置１００は、所定期間毎の予測ＰＶ数を算出してもよい。例えば、算出部１４１は、合成コンテンツが配信されてから１ヶ月が経過するたびに予測ＰＶ数を算出する。この点について、図５の例を用いて説明する。
【０１１２】
図５に示したように、履歴情報記憶部１２２は、１ヶ月毎の閲覧数を記憶する。算出部１４１は、企画受付部１３１によって企画情報が受け付けられた場合に、企画情報を送信したコンテンツ制作者によって過去に制作された制作済みコンテンツを特定する。さらに、算出部１４１は、特定した制作済みコンテンツに対応する閲覧数のうち、かかる制作済みコンテンツが配信されてから最初の１ヶ月が経過するまでの期間における閲覧数を取得する。そして、算出部１４１は、各制作済みコンテンツに対応する最初の１ヶ月間における閲覧数の平均値等を、企画受付部１３１によって受け付けられた企画情報に対応するコンテンツにおける最初の１ヶ月間の予測ＰＶ数とする。同様にして、算出部１４１は、各制作済みコンテンツにおける１ヶ月間毎の閲覧数を用いて、企画情報に対応するコンテンツにおける１ヶ月毎の予測ＰＶ数を算出する。この場合、サービス提供部１３２は、算出部１４１によって算出された１ヶ月毎の予測ＰＶ数が掲載されたオークションページを生成する。このとき、サービス提供部１３２は、１ヶ月毎の予測ＰＶ数を表すグラフをオークションページに掲載してもよい。
【０１１３】
なお、上記例では、１ヶ月毎の予測ＰＶ数を算出する例を示した。しかし、算出部１４１は、１ヶ月毎ではなく所定期間（例えば、１週間、２週間、２ヶ月など）毎の予測ＰＶ数を算出してもよい。また、上記例では、算出部１４１が、「企画中のコンテンツとコンテンツ制作者が一致する制作済みコンテンツの閲覧数」を用いて予測ＰＶ数を算出する例を示した。しかし、所定期間毎の予測ＰＶ数を算出する実施形態は、上記〔５−１．予測ＰＶ数の算出手法〕や〔５−２．予測ＰＶ数の更新（１）〕や〔５−３．予測ＰＶ数の更新（２）〕や〔５−４．予測処理に用いる予測要素〕にも適用することができる。すなわち、算出部１４１は、「企画中のコンテンツとカテゴリが一致する制作済みコンテンツの閲覧数」や、「総入札数」や、「総落札価格」などを用いて、所定期間毎の予測ＰＶ数を算出してもよい。
【０１１４】
このように、サービス提供装置１００は、所定期間毎の予測ＰＶ数を算出することで、企画中のコンテンツにおける予測ＰＶ数の推移を広告主に提供することができる。例えば、広告主によっては、長期にわたって平均的なＰＶ数が得られるコンテンツに広告を表示することを望む場合がある。また、例えば、広告主によっては、配信直後に大量なＰＶ数が短期的に得られるコンテンツに広告を表示することを望む場合がある。サービス提供装置１００は、所定期間毎の予測ＰＶ数を算出することで、このような広告主に対して入札時に参考となる情報を提供することができる。この結果、サービス提供装置１００は、付加価値のあるサービスを広告主に提供することができる。
【０１１５】
〔５−６．ＰＶ保証〕
また、上述してきたサービス提供装置１００は、広告がユーザに閲覧される回数（すなわち、合成コンテンツの配信数）を落札者に対して保証するオークションサービスを提供してもよい。
【０１１６】
例えば、サービス提供部１３２は、算出部１４１によって算出された予測ＰＶ数から所定の割合を減算したＰＶ数（例えば、２割減）を広告主に保証してもよい。一例を挙げると、算出部１４１によって算出された予測ＰＶ数が「１０００００」であった場合、サービス提供部１３２は、予測ＰＶ数「１０００００」の２割減である「８００００」を保証ＰＶ数としてもよい。このとき、サービス提供部１３２は、保証ＰＶ数を達成する期限を設定してもよい。例えば、サービス提供部１３２は、保証ＰＶ数を達成する期限として、合成コンテンツの配信開始日から所定日までの期間を設定する。
【０１１７】
この場合、サービス提供部１３２は、保証ＰＶ数が掲載されたオークションページを生成する。図１１に、変形例に係るサービス提供部１３２によって生成されるオークションページＷ３０の一例を示す。図１１に示す例のように、サービス提供部１３２は、オークションページＷ３０の入札表示欄Ｒ１２に、算出部１４１によって算出された予測ＰＶ数を掲載するとともに、予測ＰＶ数に基づいて算出された保証ＰＶ数を掲載する。図１１では、合成コンテンツの配信が開始されてから６ヶ月経過するまでの間に、１０万のＰＶ数を保証する例を示す。
【０１１８】
このように、サービス提供装置１００は、ＰＶ数を保証するオークションサービスを提供することで、広告主に安心して入札させることができる。上記の通り、サービス提供装置１００によって提供されるオークションサービスは、企画段階のコンテンツに広告を表示する権利が落札対象である。このため、入札者である広告主は、入札時にはコンテンツの配信回数を予測することが困難である。しかし、サービス提供装置１００は、ＰＶ数を保証することで、広告主に安心して入札させることができるので、付加価値の高いサービスを広告主に提供することができる。
【０１１９】
なお、サービス提供装置１００は、ＰＶ数を保証する場合には、ＰＶ数を保証できたか否かに応じて、落札者である広告主に金銭的な対応を行ってもよい。この点について、図１２を用いて説明する。図１２は、変形例に係る課金処理の一例を示す図である。図１２の例では、保証ＰＶ数が１０万であるものとする。ここでは、保証ＰＶ数は、合成コンテンツの配信が開始されてから所定日までの保証期間に達成すべきＰＶ数であるものとする。
【０１２０】
ここで、図１２のケースＸに示すように、保証期間における実際の広告データのＰＶ数（以下、「実ＰＶ数」とする）が８万であったものとする。この場合、サービス提供装置１００の落札金管理部１３３は、保証ＰＶ数から実ＰＶ数を減算した不足ＰＶ数Ｎ１を算出する。そして、落札金管理部１３３は、不足ＰＶ数Ｎ１に応じて、落札者である広告主に対して、落札金の一部又は全部に相当する返金額を算定する。例えば、落札金管理部１３３は、不足ＰＶ数Ｎ１に所定値を乗算した額を返金額として算定する。
【０１２１】
一方、図１２のケースＹに示すように、保証期間における実ＰＶ数が１３万であったものとする。この場合、落札金管理部１３３は、実ＰＶ数から保証ＰＶ数を減算した超過ＰＶ数Ｎ２を算出する。そして、落札金管理部１３３は、超過ＰＶ数Ｎ２に応じて、落札者である広告主に追加で課金する追加課金額を算定してもよい。例えば、落札金管理部１３３は、超過ＰＶ数に所定値を乗算した額を追加課金額として算定する。
【０１２２】
なお、サービス提供装置１００は、保証期間に実ＰＶ数が保証ＰＶ数を超えた時点で、広告データの配信を停止するよう制御してもよい。具体的には、サービス提供装置１００の生成部１３５は、例えば、落札者である広告主の広告データＧ１が組み込まれた合成コンテンツＣＤ１１と、広告データＧ１が組み込まれていない合成コンテンツＣＤ１２とを生成する。このとき、生成部１３５は、広告データＧ１の代わりにコンテンツ制作者によって提供される広告データを組み込んだ合成コンテンツＣＤ１２を生成してもよいし、広告データＧ１が組み込まれる広告枠がスキップされる合成コンテンツＣＤ１２を生成してもよい。そして、サービス提供装置１００は、保証ＰＶ数とともに、合成コンテンツＣＤ１１及びＣＤ１２を配信サーバ３０に送信する。これにより、配信サーバ３０は、実ＰＶ数が保証ＰＶ数に達するまでは、広告データＧ１が組み込まれた合成コンテンツＣＤ１１をユーザ端末４０に配信する。一方、配信サーバ３０は、実ＰＶ数が保証ＰＶ数に達した後には、広告データＧ１が組み込まれていない合成コンテンツＣＤ１２をユーザ端末４０に配信する。
【０１２３】
〔５−７．ＰＶ数の予測確度〕
また、上述してきたサービス提供装置１００は、予測ＰＶ数が的中する確率である予測確度を算出してもよい。例えば、算出部１４１は、過去に制作された制作済みコンテンツに対して過去に算出した予測ＰＶ数と、過去に予測ＰＶ数を算出した際に用いた予測要素と、制作済みコンテンツの実ＰＶ数と、予測ＰＶ数と実ＰＶ数との誤差である誤差ＰＶ数とを予測履歴情報として所定の記憶部に記憶しておく。そして、算出部１４１は、企画中のコンテンツの予測ＰＶ数を算出した場合に、かかる予測ＰＶ数を算出する際に用いた予測要素に対応する誤差ＰＶ数を予測履歴情報から取得する。そして、算出部１４１は、予測履歴情報から取得した誤差ＰＶ数に基づいて、予測ＰＶ数の予測確度を算出する。例えば、算出部１４１は、予測履歴情報から取得した誤差ＰＶ数の平均値が小さいほど高い予測確度を算出し、誤差ＰＶ数の平均値が大きいほど低い予測確度を算出する。
【０１２４】
この場合、サービス提供部１３２は、予測確度が掲載されたオークションページを生成する。図１３に、変形例に係るサービス提供部１３２によって生成されるオークションページＷ４０の一例を示す。図１３に示す例のように、サービス提供部１３２は、オークションページＷ４０の入札表示欄Ｒ１２に、算出部１４１によって算出された予測ＰＶ数及び予測確度を掲載する。図１３では、予測ＰＶ数が１２万であり、かかる予測ＰＶ数の予測確度が８０％である例を示す。
【０１２５】
なお、算出部１４１は、算出した予測ＰＶ数と、予測履歴情報から取得した誤差ＰＶ数とを用いて、所定のＰＶ数毎に、かかるＰＶ数に達する達成確率を算出してもよい。例えば、算出部１４１は、算出した予測ＰＶ数に対応する予測確度を基準の達成確率とする。そして、算出部１４１は、算出した予測ＰＶ数に所定数を加算又は減算した予測ＰＶ数毎に、加算値又は減算値が大きいほど基準の達成確率から乖離した達成確率を求める。この場合、サービス提供部１３２は、予測ＰＶ数毎の達成確率が掲載されたオークションページを生成してもよい。このとき、サービス提供部１３２は、予測ＰＶ数と達成確率との関係を表すグラフをオークションページに掲載してもよい。一例を挙げると、算出部１４１は、企画中のコンテンツに対する予測ＰＶ数として「１２万」を算出するとともに、かかる予測ＰＶ数「１２万」の予測確度（すなわち、基準の達成確率）として「８０％」を算出したものとする。そして、算出部１４１は、予測ＰＶ数「１２万」から「２万」を減算した予測ＰＶ数「１０万」の達成確率を算出するものとする。この場合、算出部１４１は、「１２万」に対する「１０万」の割合である「０．８３＝（１０万／１２万）」を算出し、かかる割合「０．８３」に基準の達成確率「８０％」を乗算することで、予測ＰＶ数「１０万」の達成確率「６６．６％」を算出する。同様にして、算出部１４１は、予測ＰＶ数「６万」、「８万」、「１４万」、「１６万」、「１８万」に対応する達成確率を算出する。そして、サービス提供部１３２は、算出部１４１によって算出された予測ＰＶ数毎の達成確率をオークションページに掲載する。
【０１２６】
このように、サービス提供装置１００は、予測ＰＶ数の予測確度をオークションページに掲載することで、コンテンツの企画段階でオークションを開催する場合であっても、入札するリスクを可視化することができるので、付加価値の高いサービスを広告主に提供することができる。
【０１２７】
〔５−８．予測確度とＰＶ保証〕
また、サービス提供装置１００は、図１１及び図１２の例のようにＰＶ数を保証する場合には、予測確度に基づいてＰＶ数を保証するか否かを決定してもよい。例えば、サービス提供部１３２は、予測確度が所定の確度閾値以上である場合に限って、ＰＶ数を保証するＰＶ保証サービスを提供してもよい。これにより、サービス提供装置１００は、保証可能な確率が高いＰＶ数を広告主に提示することができるので、付加価値のあるサービスを広告主に提供することができる。
【０１２８】
ここで、上述した図９又は図１０の例のように、サービス提供装置１００が予測ＰＶ数を定期的に更新する場合、オークション開催中に予測確度が確度閾値以上となる場合もある。このとき、サービス提供部１３２は、オークション開催中に予測確度が確度閾値以上となった場合であっても、オークション期間の途中からＰＶ保証サービスの提供を開始することはない。これは、オークション期間の途中にＰＶ保証サービスを提供すると、ＰＶ保証サービスの提供開始前にリスクを負って入札していた広告主に対して不公平となるからである。ただし、サービス提供部１３２は、オークションの開催中に予測確度が確度閾値以上となった場合であっても、かかるオークションが成立せずに再度開催することとなった場合には、再開催時におけるオークションではＰＶ保証サービスを最初から提供してもよい。
【０１２９】
〔５−９．配信後の予測処理〕
また、上述してきたサービス提供装置１００は、配信サーバ３０によって合成コンテンツがユーザに配信された後であっても、上述してきた各種の予測ＰＶ数（例えば、月毎の予測ＰＶ数など）を算出してもよい。そして、サービス提供装置１００は、合成コンテンツの配信後に算出した予測ＰＶ数を、かかる合成コンテンツに広告データが組み込まれている広告主に通知してもよい。これにより、サービス提供装置１００は、合成コンテンツの配信後であっても、付加価値のあるサービスを広告主に提供することができる。
【０１３０】
なお、算出部１４１は、合成コンテンツの配信後に予測ＰＶ数を算出する場合には、上述してきた予測要素以外の予測要素を用いることができる。例えば、算出部１４１は、「前日の実ＰＶ数」や「前日までの実ＰＶ数の平均値」から予測ＰＶ数を算出してもよい。
【０１３１】
〔５−１０．手数料〕
また、上述してきたサービス提供装置１００は、オプションサービスとして予測ＰＶ数を広告主に提示してもよい。例えば、サービス提供部１３２は、所定の手数料を支払った広告主に対してのみ予測ＰＶ数が掲載されたオークションページを提供してもよい。
【０１３２】
〔５−１１．コンテンツの種類〕
また、上述した実施形態では、コンテンツとして、主に動画を一例に挙げて説明した。しかし、コンテンツの種類は、動画に限られない。例えば、上述してきたコンテンツは、ゲーム等のアプリケーションや、電子書籍や、ウェブログ等のウェブページであってもよい。例えば、コンテンツ制作者は、ゲームや、電子書籍や、専門的なウェブページの制作を企画している場合に、上述してきたオークションサービスを利用することができる。
【０１３３】
ここで、図１４に、変形例に係るコンテンツの一例を示す。図１４では、コンテンツがゲームである例を示す。図１４の例では、コンテンツ制作者が、キャラクターのアイコンを用いたゲームの制作を企画する。そして、このコンテンツ制作者は、複数種類のアイコンのうち、３個のアイコンを広告枠として設定する。このように、上述してきたオークションサービスは、ゲーム等のコンテンツにも適用することができる。
【０１３４】
なお、図１４の例の場合、コンテンツ制作者は、プロダクトプレイスメントと同様に、落札者である広告主から宣伝用のアイコン画像等を受け取り、受け取ったアイコン画像等を用いてゲームを制作する。このため、コンテンツ制作者が、広告データを含む合成コンテンツ（ここの例では、ゲーム）を制作することになる。
【０１３５】
〔５−１２．プログラム〕
また、上述してきた実施形態に係るサービス提供装置１００は、例えば図１５に示すような構成のコンピュータ１０００によって実現される。図１５は、サービス提供装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１３６】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１３７】
ＨＤＤ１４００は、ＣＰＵ１１００によって実行されるプログラム、及び、かかるプログラムによって使用されるデータ等を格納する。通信インターフェイス１５００は、通信網５０を介して他の機器からデータを受信してＣＰＵ１１００へ送り、ＣＰＵ１１００が生成したデータを、通信網５０を介して他の機器へ送信する。
【０１３８】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを、入出力インターフェイス１６００を介して出力装置へ出力する。
【０１３９】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１４０】
例えば、コンピュータ１０００が実施形態に係るサービス提供装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、オークション記憶部１２１や履歴情報記憶部１２２内のデータが格納される。コンピュータ１０００のＣＰＵ１１００は、これらのプログラムを、記録媒体１８００から読み取って実行するが、他の例として、他の装置から、通信網５０を介してこれらのプログラムを取得してもよい。
【０１４１】
〔５−１３．その他〕
上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１４２】
例えば、各図に示した各種情報は、図示した情報に限られない。また、例えば、上述した各実施形態では、同一のコンテンツに複数の広告枠が設定される例を示したが、同一のコンテンツに１個の広告枠が設定されてもよい。
【０１４３】
また、上記実施形態では、コンテンツ制作者がコンテンツに広告枠の再生位置や再生時間などを設定する例を示した。しかし、サービス提供装置１００は、コンテンツ制作者から企画情報のみを受け付け、広告枠情報については受け付けなくてもよい。この場合、サービス提供装置１００は、例えば予め決められている再生位置や再生時間の広告枠をコンテンツに設定する。
【０１４４】
また、上記実施形態では、サービス提供装置１００が合成コンテンツを生成する例を示したが、合成コンテンツの生成処理は、配信サーバ３０等の他の装置によって行われてもよい。このような場合には、図３に示したサービス提供装置１００は、生成部１３５等を有しなくてもよい。
【０１４５】
また、例えば、上述した各実施形態では、コンテンツに広告データが組み込まれた合成コンテンツがユーザ端末４０に配信される例を示したが、広告データは、ユーザ端末４０によってコンテンツが表示又は再生されるたびに、図２では図示しない広告サーバ（アドサーバ等と呼ばれる）によってユーザ端末４０に配信されてもよい。具体的には、サービス提供装置１００の生成部１３５は、コンテンツの広告枠に、広告サーバへのアクセス情報（例えば、ＵＲＬ：Uniform  Resource  Locator）を組み込むことで合成コンテンツを生成してもよい。この場合、ユーザ端末４０は、広告枠に設定されているアクセス情報に基づいて広告サーバにアクセスする。そして、広告サーバは、ユーザ端末４０からアクセスされた場合に、コンテンツに組み込まれる広告データをユーザ端末４０に配信する。このとき、広告サーバは、例えば、アクセス元ユーザのユーザ属性に基づいて、配信対象の広告データを選定する。そして、ユーザ端末４０は、広告サーバから取得した広告データをコンテンツの広告枠に表示する。また、この例の場合、広告主は、広告データとして、広告である動画像や静止画像等にアクセスするためのアクセス情報をサービス提供装置１００に送信してもよい。
【０１４６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図３に示した企画受付部１３１とコンテンツ受付部１３４は統合されてもよい。また、例えば、上述してきたサービス提供装置１００は、配信サーバ３０と統合されてもよい。
【０１４７】
また、上述してきた各実施形態は、処理内容を矛盾させない範囲で適宜組み合わせることが可能である。
【０１４８】
〔６．効果〕
上述してきたように、実施形態に係るサービス提供装置１００は、企画受付部１３１と、算出部１４１と、サービス提供部１３２とを有する。企画受付部１３１は、コンテンツ制作者によって企画されたコンテンツの企画内容を示す企画情報を受け付ける。算出部１４１は、コンテンツがユーザに閲覧される回数の予測値である予測ＰＶ数（予測閲覧数の一例に相当）を算出する。サービス提供部１３２は、算出部１４１によって算出された予測ＰＶ数と、企画受付部１３１によって受け付けられた企画情報とを提示するとともに、コンテンツに広告を表示する権利を落札対象とするオークションサービスを提供する。
【０１４９】
これにより、実施形態に係るサービス提供装置１００は、コンテンツの企画段階でオークションを開催する場合であっても、入札者である広告主に対して広告がユーザに閲覧される予測回数を把握させることができる。この結果、サービス提供装置１００は、付加価値のあるサービスを広告主に提供することができる。
【０１５０】
また、実施形態に係るサービス提供装置１００において、算出部１４１は、企画受付部１３１によって企画情報が受け付けられた場合に、コンテンツ制作者によって過去に制作されたコンテンツの閲覧数に基づいて、予測ＰＶ数を算出する。
【０１５１】
これにより、実施形態に係るサービス提供装置１００は、過去の実績から予測ＰＶ数を高精度に算出することができるので、付加価値の高いサービスを広告主に提供することができる。
【０１５２】
また、実施形態に係るサービス提供装置１００において、算出部１４１は、企画受付部１３１によって企画情報が受け付けられた場合に、過去に制作されたコンテンツである制作済みコンテンツのうち、企画情報に対応する制作済みコンテンツの閲覧数に基づいて、予測ＰＶ数を算出する。
【０１５３】
これにより、実施形態に係るサービス提供装置１００は、過去の実績から予測ＰＶ数を高精度に算出することができるので、付加価値の高いサービスを広告主に提供することができる。
【０１５４】
また、実施形態に係るサービス提供装置１００において、企画受付部１３１は、企画情報を段階的に複数回にわたって受け付ける。また、算出部１４１は、企画受付部１３１によって新たな企画情報が受け付けられるたびに、新たな企画情報に対応する制作済みコンテンツの閲覧数に基づいて、予測ＰＶ数を新たに算出する。また、サービス提供部１３２は、算出部１４１によって新たに算出された予測ＰＶ数を提示するとともに、オークションサービスを提供する。
【０１５５】
これにより、実施形態に係るサービス提供装置１００は、企画情報を段階的に受け付ける場合に、最新の企画情報を用いて予測ＰＶ数を高精度に算出することができるので、付加価値の高いサービスを広告主に提供することができる。
【０１５６】
また、実施形態に係るサービス提供装置１００において、算出部１４１は、サービス提供部１３２によってオークションサービスが提供されている最中に、過去に制作されたコンテンツである制作済みコンテンツのうち、オークションサービスにおける入札数又は最高入札価格を含むオークション情報に対応する制作済みコンテンツの閲覧数に基づいて、予測ＰＶ数を算出する。
【０１５７】
これにより、実施形態に係るサービス提供装置１００は、最新のオークション情報を用いて予測ＰＶ数を高精度に算出することができるので、付加価値の高いサービスを広告主に提供することができる。
【０１５８】
また、実施形態に係るサービス提供装置１００において、サービス提供部１３２は、算出部１４１によって算出された予測ＰＶ数に基づいて、企画情報に対応するコンテンツにおける所定の閲覧数を落札者に対して保証するオークションサービスを提供する。
【０１５９】
これにより、実施形態に係るサービス提供装置１００は、広告主に安心して入札させることができるので、付加価値の高いサービスを広告主に提供することができる。
【０１６０】
また、実施形態に係るサービス提供装置１００は、企画情報に対応するコンテンツの実ＰＶ数がサービス提供部１３２によって保証された保証ＰＶ数に達しない場合に、保証ＰＶ数と実際の実ＰＶ数との差異に応じて、落札者に返金する返金額を算定する落札金管理部１３３を有する。
【０１６１】
これにより、実施形態に係るサービス提供装置１００は、広告主に安心して入札させることができるので、付加価値の高いサービスを広告主に提供することができる。
【０１６２】
また、実施形態に係るサービス提供装置１００において、算出部１４１は、過去に制作されたコンテンツである制作済みコンテンツに対して過去に算出した予測ＰＶ数と、制作済みコンテンツの実ＰＶ数とに基づいて、企画情報に対応するコンテンツに対して算出した予測ＰＶ数の予測確度を算出する。また、サービス提供部１３２は、算出部１４１によって算出された予測ＰＶ数及び予測確度を提示するとともに、オークションサービスを提供する。
【０１６３】
これにより、実施形態に係るサービス提供装置１００は、企画段階で入札するリスクを可視化することができるので、付加価値の高いサービスを広告主に提供することができる。
【０１６４】
また、実施形態に係るサービス提供装置１００において、サービス提供部１３２は、算出部１４１によって算出された予測確度が所定の確度閾値以上である場合に、算出部１４１によって算出された予測ＰＶ数に基づいて、企画情報に対応するコンテンツにおける所定の閲覧数を保証するオークションサービスを提供する。
【０１６５】
これにより、実施形態に係るサービス提供装置１００は、保証可能な確率が高いＰＶ数を広告主に提示することができるので、付加価値の高いサービスを広告主に提供することができる。
【０１６６】
また、実施形態に係るサービス提供装置１００において、算出部１４１は、所定の期間毎に、予測ＰＶ数を算出する。また、サービス提供部１３２は、算出部１４１によって算出された所定の期間毎の予測ＰＶ数を提示するとともに、オークションサービスを提供する。
【０１６７】
これにより、実施形態に係るサービス提供装置１００は、予測ＰＶ数の推移を広告主に提供することができるので、付加価値の高いサービスを広告主に提供することができる。
【０１６８】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１６９】
また、上述してきた「部（section、module、unit）」は、「手段」や「回路」などに読み替えることができる。例えば、企画受付部は、企画受付手段や企画受付回路に読み替えることができる。
【符号の説明】
【０１７０】
１  サービス提供システム
１０  制作者端末
２０  広告主端末
３０  配信サーバ
４０  ユーザ端末
１００  サービス提供装置
１２１  オークション記憶部
１２２  履歴情報記憶部
１３１  企画受付部
１３２  サービス提供部
１３３  落札金管理部
１３４  コンテンツ受付部
１３５  生成部
１３６  送信部
１４１  算出部
１４２  取得部
【図１】
0005996502.tif 000002
【図２】
0005996502.tif 000003
【図３】
0005996502.tif 000004
【図４】
0005996502.tif 000005
【図５】
0005996502.tif 000006
【図６】
0005996502.tif 000007
【図７】
0005996502.tif 000008
【図８】
0005996502.tif 000009
【図９】
0005996502.tif 000010
【図１０】
0005996502.tif 000011
【図１１】
0005996502.tif 000012
【図１２】
0005996502.tif 000013
【図１３】
0005996502.tif 000014
【図１４】
0005996502.tif 000015
【図１５】
0005996502.tif 000016